(57)【要約】【課題】本発明は磁気ディスクの潤滑層から剥離した塵埃がスライダの流出側端部に付着することを課題とする。【解決手段】磁気ディスク用ヘッドスライダ１０は、ディスク対向面１２の流路３４にＶ字状の空気流ガイド部５２が形成されている。この空気流ガイド部５２は、中心から左側方に延在する左ガイド溝５２ａと、中心から右側方に延在する右ガイド溝５２ｂとが連続して形成されている。フロントパッド４０，４２間を通過して流路３４に進入した空気流は、空気流ガイド部５２の中心部分に流入し、左ガイド溝５２ａ及び右ガイド溝５２ｂに沿ってスライダ１０の左右側面に向かって流出される。よって、空気流によって移動する塵埃は、空気流ガイド部５２の中心部分から流入してスライダ１０の左右側面に排出される。従って、スライダ１０の流出側端部１４及び磁気ヘッド１６に塵埃が付着することが防止される。【選択図】        図１
2004164771.tif 000002
【特許請求の範囲】
【請求項１】
磁気ディスクの回転に伴って生じる空気流によって前記磁気ディスクから浮上する磁気ディスク用ヘッドスライダにおいて、
前記ディスク対向面に沿う空気流を前記ディスク対向面の側方に導く空気流ガイド部を設けたことを特徴とする磁気ディスク用ヘッドスライダ。
【請求項２】
前記空気流ガイド部は、空気流の流れ方向に対して傾斜する方向に延在形成されたことを特徴とする請求項１記載の磁気ディスク用ヘッドスライダ。
【請求項３】
前記空気流ガイド部に空気の流れに伴い空気流に含まれる塵埃を捕獲する捕獲部を設けたことを特徴とする請求項１記載の磁気ディスク用ヘッドスライダ。
【請求項４】
前記空気流ガイド部は、
前記ディスク対向面の中央付近から両側に延在するように形成された第１のガイド部と、
前記ディスク対向面の側面に形成され前記第１のガイド部に連続する第２のガイド部とを有することを特徴とする請求項４記載の磁気ディスク用ヘッドスライダ。
【請求項５】
前記第１のガイド部及び第２のガイド部は、空気流の流れ方向に対して傾斜する方向に延在形成されたことを特徴とする請求項４記載の磁気ディスク用ヘッドスライダ。
【請求項６】
前記第１のガイド部または前記第２のガイド部の何れかに空気流に含まれる塵埃を捕獲する捕獲部を設けたことを特徴とする請求項４記載の磁気ディスク用ヘッドスライダ。
【請求項７】
前記空気流ガイド部は、
前記ディスク対向面の中央付近から両側に延在するように形成された第１のガイド溝と、
前記ディスク対向面の側面に形成され前記第１のガイド溝に連通された第２のガイド溝とを有することを特徴とする請求項１記載の磁気ディスク用ヘッドスライダ。
【請求項８】
前記第１のガイド溝または前記第２のガイド溝の何れかに空気流に含まれる塵埃を捕獲する捕獲溝を設け、
前記捕獲溝は、前記第１のガイド溝及び前記第２のガイド溝よりも深い溝により形成されたことを特徴とする請求項７記載の磁気ディスク用ヘッドスライダ。
【請求項９】
前記第１のガイド溝は、前記ディスク対向面に沿う空気流の流入側壁面が傾斜面からなり、前記ディスク対向面に沿う空気流の流出側壁面が垂直面からなることを特徴とする請求項７記載の磁気ディスク用ヘッドスライダ。
【発明の詳細な説明】
【０００１】
【発明の属する技術分野】
本発明は磁気ディスク用ヘッドスライダに係り、特に磁気ディスクの表面に形成された潤滑層から剥離した塵埃が磁気ヘッドの端部に付着することを防止するよう構成された磁気ディスク用ヘッドスライダに関する。
【０００２】
ハードディスク装置に用いられる磁気ディスク用ヘッドスライダは、磁気ディスクが回転することにより、磁気ディスクの表面の空気流による浮上力（圧力）を受けて磁気ヘッドが磁気ディスクの表面に近接した状態で浮上して磁気記録・再生を行なえるように磁気ヘッドを保持している。
【０００３】
磁気ディスクの表面には、潤滑剤を塗布した潤滑層が形成されており、この潤滑層によって磁気ディスク用ヘッドスライダが接触した場合の摩擦を軽減することでディスク面の傷発生を防止している。
【０００４】
このように磁気ディスクの表面においては、スライダが接触すると、潤滑層から微小な塵埃が剥離することがある。この潤滑層から剥離した塵埃は、磁気ディスクの回転に伴う空気流によって飛ばされるため、磁気ディスク用ヘッドスライダの表面に汚れとなって付着するおそれがある。
【０００５】
【従来の技術】
従来の磁気ディスク用ヘッドスライダとしては、例えば、スライダの流入端にフロント浅溝と一対のフロントパッドを設け、スライダの流出端中央に流出パッド浅溝及び三角形の流出パッド面を設けており、流出パッド面は、前縁に位置する頂点で交差する２辺の側壁が、スライダ長手方向の中心線に対して５〜７５度の角度を有するように構成されている（例えば、特許文献１参照）。
【０００６】
上記のように構成された磁気ディスク用ヘッドスライダでは、スライダを磁気ディスクに対して浮上させたとき、塵埃などの微小な塵埃がスライダの流出パッドに侵入する可能性がある。
【０００７】
そして、流出パッド面の頂点で交差する２辺の側壁が５〜７５度の角度を有しているので、磁気ディスクに対向するスライダのディスク対向面に侵入した塵埃は、三角形状に形成された流出パッド面の側壁に沿って流出側端部から下流に排出される。
【０００８】
【特許文献１】
特開２００１−２６６３２３号公報（第２−３頁、図１）
【０００９】
【発明が解決しようとする課題】
しかしながら、上記のように構成された磁気ディスク用ヘッドスライダでは、スライダの流出端中央に三角形の流出パッド面が設けられているので、流出パッド面の両側に空気流が分散してスライダの流出側端部を通過する。
【００１０】
そのため、磁気ディスクの表面においては、潤滑層から微小な塵埃が剥離した場合、この潤滑層の塵埃が磁気ディスクに対向するスライダのディスク対向面に沿って流れる空気流によって移動してスライダの流出側端部に付着することがあった。
【００１１】
一方、磁気ディスク用ヘッドスライダは、磁気ヘッドを有する流出側端部を磁気ディスクに微小な隙間を介して近接させるように傾斜した状態に支持されているので、磁気ディスクに近接する流出側端部に粘性を有する潤滑層の塵埃が汚れとなって付着すると、この汚れによって流出側端部が磁気ディスクに吸着されてしまうという問題が生じる。
【００１２】
そこで、本発明は上記課題に鑑み、スライダのディスク対向面に進入した塵埃をスライダの両側へ導くことで潤滑層の塵埃が流出側端部に付着することを防止するよう構成された磁気ディスク用ヘッドスライダを提供することを目的とする。
【００１３】
【課題を解決するための手段】
本発明は上記課題を解決するため、以下のような特徴を有する。
上記請求項１記載の発明は、磁気ディスクの回転に伴って生じる空気流によって前記磁気ディスクから浮上する磁気ディスク用ヘッドスライダにおいて、
前記ディスク対向面に沿う空気流を前記ディスク対向面の側方に導く空気流ガイド部を設けたことを特徴とする。
【００１４】
上記請求項１記載の発明によれば、ディスク対向面に進入した塵埃が空気流ガイド部によってディスク対向面の側方に導かれた空気流によりスライダの側方に排出され、流出側端部に塵埃が付着しないようにする。
【００１５】
また、請求項２記載の発明は、前記空気流ガイド部が、空気流の流れ方向に対して傾斜する方向に延在形成されたことを特徴とする。
【００１６】
上記請求項２記載の発明によれば、空気流ガイド部が空気流の流れ方向に対して傾斜する方向に延在形成されているので、ディスク対向面に進入した塵埃をスライダの側方に積極的に排出することが可能になる。
【００１７】
また、請求項３記載の発明は、前記空気流ガイド部に空気の流れに伴い空気流に含まれる塵埃を捕獲する捕獲部を設けたことを特徴とする
上記請求項３記載の発明によれば、ディスク対向面に進入した塵埃を空気流ガイド部に設けられた捕獲部に捕獲して流出側端部に塵埃が付着しないようにする。
【００１８】
また、請求項４記載の発明は、前記空気流ガイド部が、
前記ディスク対向面の中央付近から両側に延在するように形成された第１のガイド部と、
前記ディスク対向面の側面に形成され前記第１のガイド部に連続する第２のガイド部とを有することを特徴とする。
【００１９】
上記請求項４記載の発明によれば、空気流ガイド部が、ディスク対向面の中央付近から両側に延在するように形成された第１のガイド部と、ディスク対向面の側面に形成され第１のガイド部に連続する第２のガイド部とを有するため、ディスク対向面に進入した塵埃をスライダの側方に排出し、さらに、側面から流出側に排出して流出側端部に塵埃が付着しないようにする。
【００２０】
また、請求項５記載の発明は、前記第１のガイド部及び第２のガイド部が、空気流の流れ方向に対して傾斜する方向に延在形成されたことを特徴とする。
【００２１】
上記請求項５記載の発明によれば、第１のガイド部及び第２のガイド部が空気流の流れ方向に対して傾斜する方向に延在形成されているので、ディスク対向面に進入した塵埃をスライダの側方に積極的に排出し、さらに、塵埃を側面から流出側に排出することが可能になる。
【００２２】
また、請求項６記載の発明は、前記第１のガイド部または前記第２のガイド部の何れかに空気の流れに伴い空気流に含まれる塵埃を捕獲する捕獲部を設けたことを特徴とする。
【００２３】
上記請求項６記載の発明によれば、ディスク対向面に進入した塵埃を第１のガイド部または前記第２のガイド部の何れかに設けられた捕獲部に捕獲して流出側端部に塵埃が付着しないようにする。
【００２４】
また、請求項７記載の発明は、前記空気流ガイド部が、
前記ディスク対向面の中央付近から両側に延在するように形成された第１のガイド溝と、
前記ディスク対向面の側面に形成され前記第１のガイド溝に連通された第２のガイド溝とを有することを特徴とする。
【００２５】
上記請求項７記載の発明によれば、第１のガイド溝及び第２のガイド溝によってディスク対向面に進入した塵埃をスライダの側方に積極的に排出し、さらに、塵埃を側面から流出側に排出することが可能になる。
【００２６】
また、請求項８記載の発明は、前記第１のガイド溝または前記第２のガイド溝の何れかに空気流に含まれる塵埃を捕獲する捕獲溝を設け、
前記捕獲溝は、前記第１のガイド溝及び前記第２のガイド溝よりも深い溝により形成されたことを特徴とする。
【００２７】
上記請求項８記載の発明によれば、磁気ディスクの表面に対向するディスク対向面に進入した塵埃を第１のガイド部または前記第２のガイド部の何れかに設けられた捕獲溝に捕獲して流出側端部に塵埃が付着しないようにする。
【００２８】
また、請求項９記載の発明は、前記第１のガイド溝が、前記ディスク対向面に沿う空気流の流入側壁面が傾斜面からなり、前記ディスク対向面に沿う空気流の流出側壁面が垂直面からなることを特徴とする。
【００２９】
上記請求項９記載の発明によれば、第１のガイド溝の流入側壁面が傾斜面であるので、ディスク対向面に沿う空気流が第１のガイド溝に流入しやすくなり、空気流によって移動する塵埃を第１のガイド溝に沿って積極的にスライダの側方に排出することが可能になる。
【００３０】
【発明の実施の形態】
以下、図面と共に本発明の一実施例について説明する。
図１は本発明になる磁気ディスク用ヘッドスライダの一実施例を示す斜視図である。図２は図１に示す磁気ディスク用ヘッドスライダの構成を示す図であり、（Ａ）は底面図、（Ｂ）は正面図、（Ｃ）は側面図である。
【００３１】
図１及び図２（Ａ）〜（Ｃ）に示されるように、磁気ディスク用ヘッドスライダ（以下「スライダ」と称する）１０は、アルミナ・チタン・カーバイトなどのセラミックスにより形成されており、磁気ディスクに対向するディスク対向面１２の空気流が流出する流出側端部１４の近傍に磁気ヘッド１６が取り付けられている。また、流出側端部１４には、磁気ヘッド１６の各端子に電気的に接続される接続パッド１８が形成されている。
【００３２】
図３に示されるように、スライダ１０は、アーム状に形成されたサスペンション２２の先端にジンパルプレート２４を介して保持されている。さらに、スライダ１０は、磁気ヘッド１６が高速回転する磁気ディスク２６の表面に近接するように傾斜された状態で支持されている。そして、磁気ヘッド１６は、記録モード時、磁気ディスク２６の磁性層に対して磁気記録を行い、再生モード時、磁気ディスク２６に磁気記録された情報を読み取る。
【００３３】
スライダ１０は、回転することにより磁気ディスク２６の表面には、空気流２８が矢印の方向に発生する。そのため、ディスク対向面１２には、この空気流が通過する過程で発生する空気圧によって浮上力が作用する。この浮上力は、ディスク対向面１２に対して磁気ディスク２６から離間する方向に作用する。また、スライダ１０は、ディスク対向面１２に形成された凹部に対して負圧が作用し、ディスク対向面１２に形成された凸部に対して負圧が作用するため、ディスク対向面１２の形状によって生じる正圧と負圧とのバランスによって磁気ディスク２６の表面から微小距離離間した位置に浮上する。
【００３４】
また、磁気ディスク２６は、その表面に潤滑剤を塗布した潤滑層２６ａが形成されている。この潤滑層２６ａは、スライダ１０が接触した場合の摩擦を軽減することでディスク面が損傷することを防止するものである。
【００３５】
このように磁気ディスク２６の表面においては、スライダ１０が接触すると、潤滑層２６ａから微小な塵埃が剥離する場合がある。この潤滑層２６ａから剥離した塵埃は、磁気ディスク２６の回転によって生じる空気流２８によって飛ばされる。
【００３６】
ここで、図１及び図２（Ａ）〜（Ｃ）に戻ってディスク対向面１２の形状について説明する。
【００３７】
図１及び図２（Ａ）〜（Ｃ）に示されるように、ディスク対向面１２には、空気流２８が流入する流入側端部３０の近傍にスライダ横幅方向に延在するフロントレール３２と、空気流２８が通過する流路３４と、流路３４の下流側に配置されたリアレール３６〜３８とが形成されている。尚、フロントレール３２は、底面側からみるとコ字状に形成されており、下流側に延在する延在部３２ａ，３２ｂを有する。
【００３８】
また、フロントレール３２には、両側近傍に一対のフロントパッド４０，４２と、吸着防止パッド４４，４６が設けられている。リアレール３６〜３８には、リアパッド４８〜５０が設けられている。そして、空気流２８は、フロントパッド４０，４２間を通過して流路３４に流入する。この流路３４は、磁気ディスク２６から離間しているのでスライダ１０を磁気ディスク２６に引き付けようとする負圧が作用する。
【００３９】
また、フロントパッド４０，４２及びリアパッド４８〜５０は、流路３４よりも磁気ディスク２６に近接するように突出しているので、磁気ディスク２６から離間させようとする正圧が作用する。
【００４０】
流路３４は、ディスク対向面１２のほぼ中央に形成された平面であり、Ｖ字状に延在した空気流ガイド部５２が形成されている。この空気流ガイド部５２は、中心から左側方に延在する左ガイド溝５２ａと、中心から右側方に延在する右ガイド溝５２ｂとが連続して形成されている。
【００４１】
また、左ガイド溝５２ａと右ガイド溝５２ｂとは、左右対称に形成されているため、負圧変化が左右でバランスし、浮上特性に大きな影響を与えるようなことはない。
【００４２】
左ガイド溝５２ａ及び右ガイド溝５２ｂは、空気流の流れ方向に延在する中心線Ｏに対して角度θ（本実施例では、約θ＝１２０度）で傾斜する方向に延在形成されている。これにより、フロントパッド４０，４２間を通過して流路３４に進入した空気流２８は、矢印で示すように空気流ガイド部５２の中心部分に流入し、左ガイド溝５２ａ及び右ガイド溝５２ｂに沿ってスライダ１０の左右側面に向かって流出される。
【００４３】
よって、空気流２８によって移動する塵埃（潤滑層２６ａから剥離した塵埃も含む）は、空気流ガイド部５２の中心部分から流入してスライダ１０の左右側面に排出される。従って、スライダ１０の流出側端部１４及び磁気ヘッド１６に塵埃が付着することが防止され、ひいては流出側端部１４が潤滑層２６ａから剥離した塵埃によって磁気ディスク２６に吸着することも防止される。
【００４４】
尚、左ガイド溝５２ａ及び右ガイド溝５２ｂの傾斜角度θは、溝の深さや空気流の流速などに応じて任意の角度に設定されるものであり、θ＝１２０度は一例である。
【００４５】
また、左ガイド溝５２ａ及び右ガイド溝５２ｂは、底面５２ｃに対して流入側壁面５２ｄ及び流出側壁面５２ｅが垂直に形成されている。さらに、底面５２ｃの粗さは、流路３４の表面よりも粗く形成されている。例えば、流路３４の平均表面粗さをＲａ＝１０〜１５ｎｍとすると、底面５２ｃの平均表面粗さは、Ｒａ＝３０ｎｍ程度に形成される。そのため、ディスク対向面１２に沿って移動する空気流は、流路３４を通過する過程で流路３４よりも表面粗さが粗く形成された左ガイド溝５２ａ及び右ガイド溝５２ｂに引き込まれるように流入して、空気流によって移動する塵埃も積極的に左ガイド溝５２ａ及び右ガイド溝５２ｂに流入してスライダ１０の左右側面から側方へ排出される。
【００４６】
ここで、変形例について説明する。
図４は変形例１の構成を示す斜視図である。図５は図４に示す磁気ディスク用ヘッドスライダの構成を示す図であり、（Ａ）は底面図、（Ｂ）は正面図、（Ｃ）は側面図である。尚、図４及び図５（Ａ）〜（Ｃ）において、上記実施例と同一部分には同一符号を付してその説明は省略する。
【００４７】
図４及び図５（Ａ）〜（Ｃ）に示されるように、変形例１のスライダ６０の空気流ガイド部６２は、底面側に形成された第１のガイド溝６２Ａと、側面に形成された第２のガイド溝６２Ｂとからなる。第１のガイド溝６２Ａは、中心から左側方に延在する左底面ガイド溝６２ａと、中心から右側方に延在する右底面ガイド溝６２ｂとを有する。また、第２のガイド溝６２Ｂは、左側面に設けられた左側面ガイド溝６２ｃと、右側面に設けられた右側面ガイド溝６２ｄとを有する。そして、空気流ガイド部６２の各溝６２ａ〜６２ｄは、夫々が連通するように連続して形成されている。
【００４８】
また、空気流ガイド部６２の各溝６２ａ〜６２ｄは、左右対称に形成されているため、負圧変化が左右でバランスし、浮上特性に大きな影響を与えるようなことはない。
【００４９】
また、左底面ガイド溝６２ａ及び右底面ガイド溝６２ｂは、上記左ガイド溝５２ａ及び右ガイド溝５２ｂと同様に空気流の流れ方向に延在する中心線Ｏに対して角度θで傾斜する方向に延在形成されている。さらに、左側面ガイド溝６２ｃ及び右側面ガイド溝６２ｄは、スライダ６０の底面に対して角度α（本実施例では、約α＝１２０度）で傾斜する方向に延在形成されている。
【００５０】
尚、上記傾斜角度θ，αは、溝の深さや空気流の流速などに応じて任意の角度に設定されるものであり、１２０度は一例である。
【００５１】
これにより、フロントパッド４０，４２間を通過して流路３４に進入した空気流２８は、矢印で示すように空気流ガイド部６２の中心部分に流入し、左底面ガイド溝６２ａ及び右底面ガイド溝６２ｂに沿ってスライダ６０の左右側面に向かって移動し、さらに図６に示されるように、左側面ガイド溝６２ｃ及び右側面ガイド溝６２ｄを通過して上方へ流出される。
【００５２】
よって、空気流２８によって移動する塵埃（潤滑層２６ａから剥離した塵埃も含む）は、空気流ガイド部６２の中心部分から流入してスライダ６０の左右側方へ移動した後、左側面ガイド溝６２ｃ及び右側面ガイド溝６２ｄを通過して上方へ排出される。従って、スライダ６０の流出側端部１４及び磁気ヘッド１６に塵埃が付着することが防止され、ひいては流出側端部１４が潤滑層２６ａから剥離した塵埃によって磁気ディスク２６に吸着することも防止される。
【００５３】
図７は変形例２の底面図である。尚、図４において、上記実施例及び変形例１と同一部分には同一符号を付してその説明は省略する。
図７に示されるように、変形例２のスライダ７０は、左底面ガイド溝６２ａ及び右底面ガイド溝６２ｂの内壁に、空気流２８の流れ方向（下流側）に延在する捕獲溝７２ａ，７２ｂが形成されている。この捕獲溝７２ａ，７２ｂは、左底面ガイド溝６２ａ及び右底面ガイド溝６２ｂの長手方向のほぼ中間位置と連通するように設けられており、且つ左底面ガイド溝６２ａ及び右底面ガイド溝６２ｂよりも深く形成されている。
【００５４】
そのため、捕獲溝７２ａ，７２ｂでは、左底面ガイド溝６２ａ及び右底面ガイド溝６２ｂよりも大きな負圧が発生して空気流を引き込むように作用する。
【００５５】
また、捕獲溝７２ａ，７２ｂは、左右対称に形成されているため、負圧変化が左右でバランスし、浮上特性に大きな影響を与えるようなことはない。
【００５６】
上記のように構成された変形例２のスライダ７０では、フロントパッド４０，４２間を通過して流路３４に進入した空気流は、矢印で示すように空気流ガイド部６２の中心部分に流入し、左底面ガイド溝６２ａ及び右底面ガイド溝６２ｂに沿ってスライダ１０の左右側面に向かって移動し、さらに空気流に含まれる塵埃が捕獲溝７２ａ，７２ｂに流入して捕獲される。
【００５７】
よって、空気流２８によって移動する塵埃（潤滑層２６ａから剥離した塵埃も含む）は、空気流ガイド部６２の中心部分から流入してスライダ７０の左右側方へ移動する過程で捕獲溝７２ａ，７２ｂに流入されるため、捕獲溝７２ａ，７２ｂの内壁に付着する。従って、変形例２では、捕獲溝７２ａ，７２ｂに塵埃が捕獲されることで流出側端部１４及び磁気ヘッド１６に塵埃が付着することが防止され、ひいては流出側端部１４が潤滑層２６ａから剥離した塵埃によって磁気ディスク２６に吸着することも防止される。
【００５８】
図８は変形例３の側面図である。
図８に示されるように、変形例３のスライダ７５は、左側面ガイド溝６２ｃ及び右側面ガイド溝６２ｄに連通する捕獲溝７６が形成されている。この捕獲溝７６は、左側面ガイド溝６２ｃ及び右側面ガイド溝６２ｄの長手方向のほぼ中間位置と連通するように設けられており、且つ左側面ガイド溝６２ｃ及び右側面ガイド溝６２ｄよりも深く形成されている。
【００５９】
そのため、捕獲溝７２ａ，７２ｂでは、左側面ガイド溝６２ｃ及び右側面ガイド溝６２ｄよりも大きな負圧が発生する。
【００６０】
上記のように構成された変形例３のスライダ７５では、流路３４に進入した空気流２８は、空気流ガイド部６２の中心部分に流入し、左底面ガイド溝６２ａ及び右底面ガイド溝６２ｂに沿ってスライダ７５の左右側面に向かって移動し、さらに左側面ガイド溝６２ｃ及び右側面ガイド溝６２ｄを通過して上方に排出される過程で空気流に含まれる塵埃が捕獲溝７６に流入される。
【００６１】
よって、空気流２８によって移動する塵埃（潤滑層２６ａから剥離した塵埃も含む）は、左側面ガイド溝６２ｃ及び右側面ガイド溝６２ｄを移動する過程で捕獲溝７６に流入し、捕獲溝７６の内壁に付着して捕獲される。
【００６２】
図９は変形例４の側面図である。
図９に示されるように、変形例４のスライダ８０は、底面側の流路３４に円弧状に湾曲された空気流ガイド部８２が形成されている。この空気流ガイド部８２は、中心から左側方に湾曲する左底面ガイド溝８２ａと、中心から右側方に湾曲する右底面ガイド溝８２ｂとを有する。
【００６３】
このように、空気流ガイド部は、前述したＶ字状に形成しても良いし、あるいはそれ以外の形状（例えば、円弧状）に形成しても良い。
【００６４】
図１０は変形例５の構成を示す図であり、（Ａ）は底面図、（Ｂ）は側面図である。
図１０に示されるように、変形例５のスライダ９０は、空気流ガイド部９２の断面形状が台形状に形成されており、左底面ガイド溝６２ａ及び右底面ガイド溝６２ｂの流入側内壁が傾斜面９２ａ，９２ｂになっている。このように、左底面ガイド溝６２ａ及び右底面ガイド溝６２ｂの流入側内壁が傾斜面９２ａ，９２ｂであるので、空気流２８は、矢印で示すように傾斜面９２ａ，９２ｂに沿ってスムーズに空気流ガイド部９２の中心部分に流入し、さらに左底面ガイド溝６２ａ及び右底面ガイド溝６２ｂに沿ってスライダ９０の左右側面に向かって流出される。
【００６５】
よって、空気流によって移動する塵埃（潤滑層２６ａから剥離した塵埃も含む）は、空気流ガイド部９２の中心部分から流入してスライダ９０の左右側面に排出される。
【００６６】
図１１は変形例６の構成を示す図であり、（Ａ）は底面図、（Ｂ）は側面図である。
図１１に示されるように、変形例６のスライダ１００は、前述した空気流ガイド部９２と、左底面ガイド溝６２ａ及び右底面ガイド溝６２ｂの流出側内壁に沿って流路３４よりも突出した空気流ガイド部１０２とを有する。
【００６７】
空気流ガイド部１０２は、左底面ガイド溝６２ａの流出側内壁と平行に延在する左底面ガイド突部１０２ａと、右底面ガイド溝６２ｂの流出側内壁と平行に延在する右底面ガイド突部１０２ｂとを有する。
【００６８】
このように、左底面ガイド溝６２ａ及び右底面ガイド溝６２ｂの流出側に左底面ガイド突部１０２ａ及び右底面ガイド突部１０２ｂが突出しているので、空気流２８は、矢印で示すように傾斜面９２ａ，９２ｂに沿ってスムーズに空気流ガイド部９２の中心部分に流入し、さらに左底面ガイド突部１０２ａ及び右底面ガイド突部１０２ｂにより流れ方向が左底面ガイド溝６２ａ及び右底面ガイド溝６２ｂに沿う流れにガイドされてスライダ１００の左右側面に向かって流出される。
【００６９】
よって、空気流２８によって移動する塵埃（潤滑層２６ａから剥離した塵埃も含む）は、空気流ガイド部９２の中心部分から流入し、左底面ガイド突部１０２ａ及び右底面ガイド突部１０２ｂによってスライダ１００の左右側面に排出される。
【００７０】
尚、本発明の磁気ディスク用ヘッドスライダは、ＣＳＳ（Ｃｏｎｔａｃｔ  Ｓｔａｒｔ  Ｓｔｏｐ）方式のハードディスク装置、あるいはロード・アンロード方式のハードディスク装置に限らず、適用することが可能である。
【００７１】
【発明の効果】
上述の如く、請求項１記載の発明によれば、ディスク対向面に進入した塵埃が空気流ガイド部によってディスク対向面の側方に導かれた空気流によりスライダの側方に排出され、流出側端部に塵埃が付着することを防止できる。これにより、スライダの流出側端部が潤滑層から剥離した塵埃によって磁気ディスクに吸着することも防止できる。
【００７２】
また、上記請求項２記載の発明によれば、空気流ガイド部が空気流の流れ方向に対して傾斜する方向に延在形成されているので、ディスク対向面に進入した塵埃をスライダの側方に積極的に排出することが可能になり、流出側端部に塵埃が付着することを防止できる。
【００７３】
また、上記請求項３記載の発明によれば、空気流に含まれる塵埃を空気流ガイド部に設けられた捕獲部に捕獲して流出側端部に塵埃が付着することを防止できる。
【００７４】
また、上記請求項４記載の発明によれば、空気流ガイド部が、ディスク対向面の中央付近から両側に延在するように形成された第１のガイド部と、ディスク対向面の側面に形成され第１のガイド部に連続する第２のガイド部とを有するため、ディスク対向面に進入した塵埃をスライダの側方に排出し、さらに、側面から流出側に排出して流出側端部に塵埃が付着することを防止できる。
【００７５】
また、上記請求項５記載の発明によれば、第１のガイド部及び第２のガイド部が空気流の流れ方向に対して傾斜する方向に延在形成されているので、ディスク対向面に進入した塵埃をスライダの側方に積極的に排出し、さらに、塵埃を側面から流出側に排出することが可能になり、流出側端部に塵埃が付着することを防止できる。
【００７６】
また、上記請求項６記載の発明によれば、ディスク対向面に進入した塵埃を第１のガイド部または前記第２のガイド部の何れかに設けられた捕獲部に捕獲して流出側端部に塵埃が付着することを防止できる。
【００７７】
また、上記請求項７記載の発明によれば、第１のガイド溝及び第２のガイド溝によってディスク対向面に進入した塵埃をスライダの側方に積極的に排出し、さらに、塵埃を側面から流出側に排出することが可能になり、流出側端部に塵埃が付着することを防止できる。
【００７８】
また、上記請求項８記載の発明によれば、磁気ディスクの表面に対向するディスク対向面に進入した塵埃を第１のガイド部または前記第２のガイド部の何れかに設けられた捕獲溝に捕獲して流出側端部に塵埃が付着することを防止できる。
【００７９】
また、上記請求項９記載の発明によれば、第１のガイド溝の流入側壁面が傾斜面であるので、ディスク対向面に沿う空気流が第１のガイド溝に流入しやすくなり、空気流によって移動する塵埃を第１のガイド溝に沿って積極的にスライダの側方に排出することが可能になり、流出側端部に塵埃が付着することを低減できる。
【図面の簡単な説明】
【図１】本発明になる磁気ディスク用ヘッドスライダの一実施例を示す斜視図である。
【図２】図１に示す磁気ディスク用ヘッドスライダの構成を示す図であり、（Ａ）は底面図、（Ｂ）は正面図、（Ｃ）は側面図である。
【図３】磁気ディスク用ヘッドスライダが磁気ディスクに対向するように支持された状態を示す側面図である。
【図４】変形例１の構成を示す斜視図である。
【図５】図４に示す磁気ディスク用ヘッドスライダの構成を示す図であり、（Ａ）は底面図、（Ｂ）は正面図、（Ｃ）は側面図である。
【図６】変形例１の磁気ディスク用ヘッドスライダが磁気ディスクに対向するように支持された状態を示す側面図である。
【図７】変形例２の底面図である。
【図８】変形例３の側面図である。
【図９】変形例４の底面図である。
【図１０】変形例５の構成を示す図であり、（Ａ）は底面図、（Ｂ）は側面図である。
【図１１】変形例６の構成を示す図であり、（Ａ）は底面図、（Ｂ）は側面図である。
【符号の説明】
１０，６０，７０，７５，８０，９０，１００  磁気ディスク用ヘッドスライダ１２  ディスク対向面
１４  流出側端部
１６  磁気ヘッド
２２  サスペンション
２４  ジンパルプレート
２６  磁気ディスク
２６ａ  潤滑層
２８  空気流
３０  流入側端部
３２  フロントレール
３４  流路
３６，３８  リアレール
４０，４２  フロントパッド
４４，４６  吸着防止パッド
４８〜５０  リアパッド
５２，６２，８２，９２，１０２  空気流ガイド部
５２ａ  左ガイド溝
５２ｂ  右ガイド溝
６２Ａ  第１のガイド溝
６２Ｂ  第２のガイド溝
６２ａ  左底面ガイド溝
６２ｂ  右底面ガイド溝
６２ｃ  左側面ガイド溝
６２ｄ  右側面ガイド溝
７２ａ，７２ｂ，７６  捕獲溝
８２ａ  左底面ガイド溝
８２ｂ  右底面ガイド溝
９２ａ，９２ｂ  傾斜面
１０２ａ  左底面ガイド突部
１０２ｂ  右底面ガイド突部
【図１】
2004164771.tif 000003
【図２】
2004164771.tif 000004
【図３】
2004164771.tif 000005
【図４】
2004164771.tif 000006
【図５】
2004164771.tif 000007
【図６】
2004164771.tif 000008
【図７】
2004164771.tif 000009
【図８】
2004164771.tif 000010
【図９】
2004164771.tif 000011
【図１０】
2004164771.tif 000012
【図１１】
2004164771.tif 000013